(57)【特許請求の範囲】
【請求項１】
内容物を吐出するポンプ機構と、該ポンプ機構を容器の口部に取り外し可能にねじ付ける装着筒とを備える容器用吐出器において、
上記装着筒の周面に、工具が備える嵌め合い凸部を嵌める嵌め合い凹部を設け、
上記装着筒に、該装着筒及び上記ポンプ機構に対して回転可能に抜け止め保持されるスリーブ部材を設け、
上記スリーブ部材は、上記工具の嵌め合い凸部が貫通する貫通孔を有する外筒体部と、該外筒体部に一体に繋がる内筒体部と、該内筒体部の下端から上記装着筒の天面に沿って伸延する内向きフランジとを備え、
上記ポンプ機構は、上記内向きフランジを抜け止め保持する上端部材を備えることを特徴とする容器用吐出器。
【請求項２】
請求項１に記載の工具であって、前記嵌め合い凸部を内周面に有するとともに、前記スリーブ部材へ側方から取付ける開口部が形成された帯状をなすバンド部を有し、
該バンド部には、上記スリーブ部材の上端面に当接するプレート部が一体に設けられていることを特徴とする容器用吐出器の工具。
【請求項３】
前記バンド部の開口部に、前記スリーブ部材の外周面にスナップ嵌合するオーバーラップ部を設けた請求項２に記載の工具。
【請求項４】
前記嵌め合い凸部の付根部に、該付根部の周りを、その一部を残して取り囲む切欠きを設けた請求項２又は３に記載の工具。
【発明の詳細な説明】
【技術分野】
【０００１】
本発明は、シャンプーやリンス、整髪料等の内容物を収容する容器の口部に取り外し可能に取り付けられて、該内容物を吐出する容器用吐出器およびこれに用いる工具に関する。
【背景技術】
【０００２】
本出願人は、従来の容器用吐出器として、店頭での陳列やホテル等の施設に据え置かれるときに、内容物が入れ替えられたり、抜き取られたりする等の悪戯を想定し、こうした不正使用を防止する対策として、容器に対するねじ付け部分にラチェット機構を設けたものを提案済みである（例えば、特許文献１参照）。
【先行技術文献】
【特許文献】
【０００３】
【特許文献１】特開２００４−３４４８２２号公報
【発明の概要】
【発明が解決しようとする課題】
【０００４】
しかしながら、様々なニーズに応じて、新たな容器用吐出器を提案していくことが重要であることも事実である。
【０００５】
本発明は、不正使用による脱着が困難な安全性の高い新規な容器用吐出器を提供することを目的とする。
また、本発明は、そのような容器用吐出器の脱着に適し、容器用吐出器の脱着を容易化できる工具を提供することを目的とする。
【課題を解決するための手段】
【０００６】
すなわち、本発明の要旨構成は以下のとおりである。
１．内容物を吐出するポンプ機構と、該ポンプ機構を容器の口部に取り外し可能にねじ付ける装着筒とを備える容器用吐出器において、
上記装着筒の周面に、工具が備える嵌め合い凸部を嵌める嵌め合い凹部を設け、
上記装着筒に、該装着筒及び上記ポンプ機構に対して回転可能に抜け止め保持されるスリーブ部材を設け、
上記スリーブ部材は、上記工具の嵌め合い凸部が貫通する貫通孔を有する外筒体部と、該外筒体部に一体に繋がる内筒体部と、該内筒体部の下端から上記装着筒の天面に沿って伸延する内向きフランジとを備え、
上記ポンプ機構は、上記内向きフランジを抜け止め保持する上端部材を備えることを特徴とする容器用吐出器。
【０００８】
２．上記１に記載の工具であって、前記嵌め合い凸部を内周面に有するとともに、前記スリーブ部材へ側方から取付ける開口部が形成された帯状をなすバンド部を有し、
該バンド部には、上記スリーブ部材の上端面に当接するプレート部が一体に設けられていることを特徴とする容器用吐出器の工具。
【０００９】
３．前記バンド部の開口部に、前記スリーブ部材の外周面にスナップ嵌合するオーバーラップ部を設けた上記２に記載の工具。
【００１０】
４．前記嵌め合い凸部の付根部に、該付根部の周りを、その一部を残して取り囲む切欠きを設けた上記２又は３に記載の工具。
【発明の効果】
【００１１】
本発明によれば、工具の嵌め合い凸部を装着筒の嵌め合い凹部に嵌め込まなければ、装着筒を回転させることができないので、不正使用による脱着が困難な安全性の高い新規な容器用吐出器を提供することができる。
また、本発明によれば、そのような容器用吐出器の脱着に適し、容器用吐出器の脱着を容易化できる工具を提供することができる。
【図面の簡単な説明】
【００１２】
【図１】本発明に係る容器用吐出器の一実施形態について、容器に装着して工具を嵌合させた状態を一部断面で示す側面図である。
【図２】本発明に係る容器用吐出器の変形例について、容器に装着して工具を嵌合させた状態の要部縦断面図である。
【図３】本発明に係る容器用吐出器の工具の一実施形態を示す斜視図である。
【図４】本発明に係る容器用吐出器の工具の変形例を示す平面図である。
【図５】本発明に係る容器用吐出器の工具の他の変形例を示す斜視図である。
【発明を実施するための形態】
【００１３】
以下、本発明に係る容器用吐出器及びその工具の一実施形態について、詳細に説明する。
まず、本発明に係る容器用吐出器の一実施形態について、図１を用いて説明する。
図１は、本発明に係る容器用吐出器の一実施形態について、容器に装着して工具を嵌合させた状態を一部断面で示す側面図である。
【００１４】
図中、１は容器用吐出器であり、容器用吐出器１は、ポンプ機構２、装着筒４及びスリーブ部材８からなる。また３は、容器用吐出器を装着する容器であり、５は吐出器１を容器３に装着する際に用いる工具である。
本例では、ポンプ機構２は、上端部材１０、シリンダ１１、吸入パイプ１２、ポペット１３、吸入弁１３ａ、弾性部材１４、ピストン１５、ステムシャフト１５ａ、ノズルヘッド１６、排出弁１７、シール部材１８から構成されている。
【００１５】
シリンダ１１には、吸入パイプ１２が固定されている。シリンダ１１の内側には、ポペット１３が配置されている。ポペット１３の内側には、吸入パイプ１２を通して容器３から吸入された内容液を導入する吸入弁１３ａが設けられている。本例では、吸入弁１３ａは、３つの連結片を介して弾性保持された弾性弁１３ａで構成されている。また、ポペット１３には、吸入弁１３ａから導入された内溶液をシリンダ１１内に導入する開口通路ｒ１が形成されている。開口通路ｒ１は軸線Ｏ周りに間隔を置いて複数の箇所に形成されている。シリンダ１１内には、スプリング等の弾性部材１４が配置されている。弾性部材１４は、ポペット１３を介してピストン１５を弾性支持する。ピストン１５は、シリンダ１１の内側に摺動可能に配置されている。ピストン１５には、ステムシャフト１５ａが一体に設けられている。
【００１６】
一方、シリンダ１１の外側には、軸線Ｏ周りを周回する環状のフランジ１１ｂが一体に形成されている。なお、本例では、フランジ１１ｂには、パッキン等の環状のシール部材１８が設けられている。シール部材１８は、容器用吐出器１を容器３の口部３ａに取り付けたとき、容器用吐出器１と容器３の口部３ａとの間を密封する。
【００１７】
また、フランジ１１ｂの上部には、装着筒４の天面４ｂが摺動可能に保持されている。これにより、装着筒４は、ポンプ機構２に対して軸線Ｏ周りに回転することができる。装着筒４は、容器３の口部３ａを周方向に取り囲む周面４ａを有する。周面４ａの外側には、丸穴形状の嵌め合い凹部７が形成されている。この嵌め合い凹部７には図示したように、工具５の嵌め合い凸部が嵌合可能である。嵌め合い凸部９は、本例では工具に一体成形した円柱状のボスである。周面４ａの内側には、ねじ部４ｓが形成されている。これにより、装着筒４は、口部３ａに形成したねじ部３ｓに対して取り外し可能にねじ付けられる。なお、本例では、周面４ａの下端部には、外向きフランジ４ｃが形成されている。この外向きフランジ４ｃでスリーブ部材８を周方向で支持することで、スリーブ部材８を装着筒４に対して回転させる際の摺動抵抗を低減させている。
【００１８】
装着筒４の天面４ｂの上部には、スリーブ部材８の内向きフランジ８ａが摺動可能に保持されている。これにより、スリーブ部材８は、ポンプ機構２及び装着筒４のそれぞれに対して軸線Ｏ周りに回転することができる。スリーブ部材８は、貫通孔９を有する外筒体部８ｃと、この外筒体部８の上端に一体に繋がる内筒体部８ｄとを有する。このように、スリーブ部材８を外筒体部８ｃと内筒体部８ｄとで構成することで、スリーブ部材８の強度を効率的に高め、スリーブ部材８の抜け止めをより確実にしている。外筒体部８には、装着筒４の嵌め合い凹部７と上下方向に整列する位置に、当該嵌め合い凹部７と同等かこれよりわずかに大きい貫通孔９が形成されている。そして、この貫通孔９を通じて、工具５の嵌め合い凸部９を装着筒４の嵌め合い凹部７に嵌合可能としている。内筒体部８ｄの下端には、装着筒４の天面４ｂに沿って伸延する上記した内向きフランジ８ａが形成されている。また、内向きフランジ８ａの下面には、例えば後述する図２中によく示されているように、下方に突出する環状突起８ｅが設けられている。この環状突起８ｅによって、スリーブ部材８と装着筒４との接触面積を低減してこれら部材間の摺動抵抗を低減している。
【００１９】
さらに、スリーブ部材８の内向きフランジ８ａの上部には、上端部材１０の環状天壁部１０ｅが配置され、この環状天壁部１０ｅを内向きフランジ８ａの上部に当接させることにより、スリーブ部材８をポンプ機構２に対して回転可能に抜け止め保持している。
【００２０】
また、上端部材１０は、シリンダ１１の内周面に嵌合する内筒部１０ａを有する。内筒部１０ａは、ステムシャフト１５ａを摺動可能に保持する。また、上端部材１０は、内筒部１０ａと同心円状に外筒部１０ｂを有する。内筒部１０ａと外筒部１０ｂとの間には、シリンダ１１の上端部１１ａが配置されている。上端部１１ａは、抜け止め部Ｑによって上端部材１０の外筒部１０ｂに抜け止め保持されている。抜け止め部Ｑとしては、例えば、図示したように、上端部１０ａの外周面に形成された環状の凸（凹）と、外筒部１０ｂの内周面に形成された環状の凹（凸）とを上下方向から嵌合させた凹凸嵌合が挙げられる。また、シリンダ１１の上端部１１ａは、回り止め部Ｐによって上端部材１０の内筒部１０ａに対して回り止めされている。回り止め部Ｐとしては、例えば、図示したように、上端部１１ａの内周面に沿って周方向に形成した縦リブ（スプライン溝）と、上端部材１０の内筒部１０ａの外周面に沿って周方向に形成したスプライン溝（縦リブ）との噛み合いによるスプライン嵌合が挙げられる。これにより、シリンダ１１と上端部材１０は、互いに軸線Ｏ周りを空転することなく、一体に結合される。
【００２１】
また、上端部材１０には、外筒部１０ｂの外側に一体に環状外壁部１０ｃが垂下する。環状外壁部１０ｃには、肩部１０ｄよりも上端側に、ねじ部１０ｓが形成されている。ねじ部１０ｓは、ノズルヘッド１６の内側に形成されたねじ部１６ｓに取り外し可能にねじ付けることができる。また、上端部材のねじ部１０ｓは、スリーブ部材８によって包囲され、隠されているので見栄えが損なわれることがない。環状外壁部１０ｃには肩部１０ｄが形成されている。肩部１０ｄからは、上記した環状天壁部１０ｅが一体に垂下する。
【００２２】
上述したように、シリンダ１１の上端開口は、上端部材１０によって閉じられている。上端部材１０は、上述のとおり、その内側にステムシャフト１５ａを摺動可能に保持している。また、上端部材１０を貫通するステムシャフト１５ａには、ノズルヘッド１６が固定されている。ステムシャフト１５ａには、開口通路ｒ１をノズルヘッド１６に通じさせる流路ｒ２が形成されている。更に、ステムシャフト１５ａの内側には、排出弁１７が配置されている。したがって、ノズルヘッド１６の押し下げと復帰を繰り返せば、ノズル１６ａから内容液を吐出させることができる。
【００２３】
上述した本発明に係る容器用吐出器１によれば、スリーブ部材８が装着筒４に対して回転可能に保持されているため、工具５をもたない第三者がスリーブ部材８を掴んで回転させたとしても、スリーブ部材８が装着筒４に対して空回りし、容器用吐出器１を容器３から取り外すことはできない。また、スリーブ部材８は、装着筒４及びポンプ機構２に対して抜け止め保持されているため、スリーブ部材８を除去して装着筒４を直接操作することもできない。したがって、工具５をもたない第三者による容器用吐出器１の脱着を困難にして安全性を高めた容器用吐出器とすることができる。
【００２４】
また、スリーブ部材８がポンプ機構２に対して回転可能に保持されているため、工具５の嵌め合い凸部６を装着筒４の嵌め合い凹部７にスリーブ部材８の貫通孔９を介して嵌合し、スリーブ部材８をポンプ機構２に対して回転させることで、装着筒４をスリーブ部材８と共に回転させて容器３の口部３ａから取り外すことができる。したがって、工具５をもつ管理者による容器用吐出器１の脱着を可能とすることができる。
【００２５】
なお、嵌め合い凸部６は、前述したように、工具に一体成形した円柱状のボスとすることが好ましいが、嵌め合い凹部７と嵌合できる凸形状を有する限りは任意の形態をとることができ、例えば、円筒状のボスとしたり、直方体状の突起としたり、板状の突起とすることができる。
また、嵌め合い凹部７は、上記した嵌め合い凸部６と嵌合できる凹形状を有する限りは任意の形態をとることができ、例えば、丸穴、角穴、横溝、縦溝などの形態をとることができる。
例えば、図１には嵌め合い凸部６を円柱状のボス、嵌め合い凹部７を丸穴とした例を示したが、変形例として図２に示すように、嵌め合い凸部６を円柱状のボスとする一方で、嵌め合い凹部７を縦溝とすることもできる。
【００２６】
さらに、嵌め合い凹部７は、装着筒４の周面４ａに軸線Ｏ周りの周方向に沿って複数設けることもできる。例えば、一定間隔で８個設けた場合には、工具５の嵌め合い凸部６をスリーブ部材８の貫通孔９に差し込んで、軸線Ｏ周りに最大４５°回転させれば、嵌め合い凸部６を嵌め合い凹部７に嵌めることができる。このように、嵌め合い凹部７を複数設ければ、工具５の装着作業を容易化することができる。
また、貫通孔９は、上記した嵌め合い凸部６が貫通する限りは任意の形状とすることができるが、丸孔などのできるだけ目立たない形状とすることが好ましい。
【００２７】
次に、本発明に係る容器用吐出器の工具の一実施形態について、図３を用いて説明する。
図３は、本発明に係る容器用吐出器の工具の一実施形態を示す斜視図である。
図中、５ｃはバンド部に形成された開口部を示す。また、図１で示した構成と同一の構成は、同一の符号を用いて示す。
本実施形態では、容器用吐出器の工具５は、嵌め合い凸部６を内周面に有するとともに、スリーブ部材８へ側方から取り付ける開口部５ｃが形成されたバンド部５ａを有し、このバンド部５ａには、スリーブ部材８の上端面８ｂに当接するプレート部５ｂが一体に設けられている。
【００２８】
したがって、前掲図１を用いて前述したように、工具５の嵌め合い凸部６をスリーブ部材８の貫通孔９に差し込んで、必要な場合は工具５をスリーブ部材８と共に軸線Ｏ周りに回転させて、嵌め合い凸部６を装着筒の周面４ａに設けられた嵌め合い凹部７に嵌めることができる。また、その際、スリーブ部材８の上端面（前掲図１に示した例ではスリーブ部材の内筒体部８ｄの上端面８ｂ）に工具５のプレート部５ｂを当接させることで、嵌め合い凸部６と嵌め合い凹部７との上下方向の位置決めがなされるため、工具５の装着を容易化することができる。さらに、プレート部５ｂを設けることで、工具５の強度が向上し、その結果、装着筒４の容器３からの脱着作業を容易化することができる。
【００２９】
なお、プレート部５ｂは、図３に示した例では、嵌め合い凸部６の上方に間隔を空けて２つ設けたが、この間隔の大きさは適宜調節することができる。また、この間隔自体を設けず、２つのプレート部５ｂを一体化してもよい。さらに、プレート部５ｂは、バンド部５ａの全周にわたって設けてもよいし、一部のみに設けてもよい。
【００３０】
次に、本発明に係る容器用吐出器の工具の変形例について、図４を用いて説明する。
図４は、本発明に係る容器用吐出器の工具の変形例を示す平面図である。
図中、５’は工具、５ｄはオーバーラップ部、５ｅはスナップ突起をそれぞれ示す。また、図３で示した構成と同一の構成は、同一の符号を用いて示す。
本変形例では、工具５’は、バンド部５ａの開口部５ｃに、スリーブ部材の外周面にスナップ嵌合するオーバーラップ部５ｄを設けられている。
【００３１】
オーバーラップ部５ｄは、その内側にスリーブ部材の外周面にスナップ嵌合するスナップ突起５ｅを有する。また、オーバーラップ部５ｄは、図示したように、外側に傾斜したテーパ形状を有する。これらのオーバーラップ部５ｄ及びスナップ突起５ｅは、本例ではバンド部５ａの軸線Ｏに沿う方向の幅全体にわたって形成されている。
【００３２】
上記の構成とすることで、工具５’のバンド部５ａに形成された開口部５ｃにスリーブ部材を側方から通して嵌め合い凸部６をスリーブ部材の貫通孔に差し込む際、スリーブ部材をオーバーラップ部５ｄの傾斜に沿って開口部５ｃへと案内することができ、工具５’のスリーブ部材に対する装着作業をより容易化することができる。また、オーバーラップ部５ｄのスナップ突起５ｅがスリーブ部材の外周面にスナップ嵌合して、工具５’のスリーブ部材に対する密着性を高め、装着状態を維持することができるため、その後の、工具５’をスリーブ部材と共に軸線Ｏ周りに回転させて、嵌め合い凸部６を装着筒の周面に設けられた嵌め合い凹部に嵌める作業を容易化することができる。
【００３３】
なお、オーバーラップ部５ｄ及びスナップ突起５ｅは、バンド部５ａの軸線Ｏに沿う方向の幅全体にわたって形成することが好ましいが、当該幅の一部のみにわたって形成してもよい。当該幅全体にわたって形成した場合には、工具５’のスリーブ部材からの意図しない外れをスナップ突起５ｅによってより効果的に防止することができる。
【００３４】
次に、本発明に係る容器用吐出器の工具の他の変形例について、図５を用いて説明する。
図５は、本発明に係る容器用吐出器の工具の他の変形例を示す斜視図である。
図中、５’’は工具、５ｆは切欠きをそれぞれ示す。また、図３で示した構成と同一の構成は、同一の符号を用いて示す。
本変形例では、工具５’’は、嵌め合い凸部６の付根部にＵ字状の切欠き５ｆを設けられている。
【００３５】
上記の構成とすることで、工具５’’の嵌め合い凸部６をスリーブ部材の貫通孔に差し込んだ際に、嵌め合い凸部６と装着筒の嵌め合い凹部とが整列していなくても、切欠き５ｆによって嵌め合い凸部６がその付根部で撓んでバンド部５ａの外側に後退することができるため、工具５’’装着筒の外周面に密着させることができる。したがって、その後の、工具５’’をスリーブ部材と共に軸線Ｏ周りに回転させて、嵌め合い凸部６を装着筒の嵌め合い凹部に嵌める作業を容易化することができる。また、その作業の際、嵌め合い凸部６が嵌め合い凹部に嵌る際に、嵌め合い凸部６の撓み変形の解消に伴う節度感を得ることができるため、嵌合がなされたことを容易に確認できるという利点もある。
なお、切欠き５ｆは、図示したようなＵ字状の他、一部を開口した環状（例えばＣ字状）や、コ字状などとすることができる。また、その向きも任意であり、例えば逆Ｕ字状などとしても良い。
【００３６】
以上、本発明に係る容器用吐出器及びその工具の一実施形態及び変形例について説明したが、本発明に従い様々な変更を行うことができる。例えば、ポンプ機構は例示的なものであり、本形態に制限されることなく、様々な機構のものを採用することができる。また、容器用吐出器は、泡生成吐出器や噴霧吐出器とすることもできる。
【産業上の利用可能性】
【００３７】
本発明は、内容物を吐出するポンプ機構と、該ポンプ機構を容器の口部に取り外し可能にねじ付ける装着筒とを備える容器用吐出器であれば、据え置きタイプの容器に限定されることなく、採用することができる。また、内容物についても、シャンプーやリンス、整髪料など、様々なものを採用することができる。
【符号の説明】
【００３８】
１      容器用吐出器
２      ポンプ機構
３      容器
３ａ    容器の口部
３ｓ    容器のねじ部
４      装着筒
４ａ    装着筒の周面
４ｂ    装着筒の天面
４ｃ    装着筒の外向きフランジ
４ｓ    装着筒のねじ部
５，５’，５’’  工具
５ａ    工具のバンド部
５ｂ    工具のプレート部
５ｃ    工具の開口部
５ｄ    工具のオーバーラップ部
５ｅ    スナップ突起
５ｆ    切欠き
６      嵌め合い凸部
７      嵌め合い凹部
８      スリーブ部材
８ａ    スリーブ部材の内向きフランジ
８ｂ    スリーブ部材の上端面
８ｃ    スリーブ部材の外筒体部
８ｄ    スリーブ部材の内筒体部
８ｅ    スリーブ部材の環状突起
９      貫通孔
１０    上端部材
１０ａ  上端部材の内筒部
１０ｂ  上端部材の外筒部
１０ｃ  上端部材の環状外壁部
１０ｄ  上端部材の肩部
１０ｅ  上端部材の環状天壁部
１０ｓ  上端部材のねじ部
１１    シリンダ
１１ａ  シリンダの上端部
１１ｂ  シリンダのフランジ
１２    吸入パイプ
１３    ポペット
１３ａ  吸入弁
１４    弾性部材
１５    ピストン
１５ａ  ステムシャフト
１６    ノズルヘッド
１６ａ  ノズル
１６ｓ  ノズルヘッドのねじ部
１７    排出弁
１８    シール部材
Ｐ      回り止め部
Ｑ      抜け止め部
ｒ１    開口通路
ｒ２    流路
【図１】
0006052850.tif 000002
【図２】
0006052850.tif 000003
【図３】
0006052850.tif 000004
【図４】
0006052850.tif 000005
【図５】
0006052850.tif 000006